(57)【要約】      （修正有）【課題】可動部材の開放を確実に遊技者に報知できる可変入賞装置を提供する。【解決手段】取付板１６と直交する支軸１７に回動自在に設けられる可動部材１８を電気的駆動源の駆動力又は遊技球の通過によりにより起立した状態と傾動した状態とに動作させる可変入賞装置１２であって、前記可動部材１８に発光手段３３を設けると共に該発光手段３３の電路を開閉する接点３６を設け、前記取付板１６の前方であり前記可動部材１８の回転軌道上に位置して前記可動部材１８の傾動時に前記接点３６が接触する導電手段Ｈを設け、前記可動部材１８の回動作に関係して前記電路を開閉し前記発光手段３３を発光するようにした。【選択図】図４
2009153722.tif 000002
【特許請求の範囲】
【請求項１】
取付板と直交する支軸に回動自在に設けられる可動部材を電気的駆動源の駆動力又は遊技球の通過により起立した状態と傾動した状態とに動作させる可変入賞装置であって、
前記可動部材に発光手段を設けると共に該発光手段の電路を開閉する接点を設け、前記取付板の前方であり前記可動部材の回転軌道上に位置して前記可動部材の傾動時に前記接点が接触する導電手段を設け、前記可動部材の回動作に関係して前記電路を開閉し前記発光手段を発光するようにしたことを特徴とする可変入賞装置。
【請求項２】
前記接点は、回動軌跡の異なる第一接点と第二接点を有してなることを特徴とする請求項１記載の可変入賞装置。
【請求項３】
前記導電手段は前記翼片の回動を規制する規制手段となることを特徴とする請求項１又は２に記載の可変入賞装置。
【発明の詳細な説明】
【技術分野】
【０００１】
本発明は、可変入賞装置に関するものであり、特に開閉自在に設けられる可動翼片の開動作を遊技者に認識させることができる可変入賞装置に関するものである。
【背景技術】
【０００２】
従来パチンコ遊技機では、遊技盤の略中央に液晶等の可変表示装置が設けられ、その表示を変動させる始動口として電気的駆動源又は遊技球の通過により開閉する所謂チューリップタイプの可変入賞装置が設けられている。そして、この可変入賞装置は検知スイッチを備えた通過入賞口に遊技球が通過して抽選が行われ、その結果がセグメント表示器等に表示され、この表示器の図柄が特定の数字，図柄等で揃った「当たり」等の所定条件で可変入賞装置が駆動するように設定される。その可変入賞装置の一例として１対の翼片の前面の一部を覆うように設けられる前飾りに開口部を設け、翼片に開閉等の文字を記載した部材を固着して、翼片の回動に応じて開口部を介して文字が視認でき、翼片の開閉を報知するようにしたものが知られている（特許文献１参照。）。
【０００３】
【特許文献１】特開２００２−２０４８５９号公報
【発明の開示】
【発明が解決しようとする課題】
【０００４】
しかしながら、通常の遊技中においては、通過入賞口に遊技球が通過して抽選が行われ、その結果が「当たり」であっても翼片の開閉は一瞬であるため、遊技者は翼片が有利な開放状態に変化したことに気付かないことがあり、好機を逃してしまうことが多々あった。このような従来の翼片において発生していた不利不便は、当該遊技機に対する興趣を低下させるものとなっている。
【０００５】
本発明は、従来の技術の有するこのような問題点に鑑みてなされたものであり、パチンコ遊技機において可動部材の開放を確実に遊技者に報知できる可変入賞装置を提供することを目的とするものである。
【課題を解決するための手段】
【０００６】
上記目的を達成するために、本発明は、取付板と直交する支軸に回動自在に設けられる可動部材を電気的駆動源の駆動力又は遊技球の通過によりにより起立した状態と傾動した状態とに動作させる可変入賞装置であって、前記可動部材に発光手段を設けると共に該発光手段の電路を開閉する接点を設け、前記取付板の前方であり前記可動部材の回転軌道上に位置して前記可動部材の傾動時に前記接点が接触する導電手段を設け、前記可動部材の回動作に関係して前記電路を開閉し前記発光手段を発光するようにしたことを特徴とする。ここでいう「電路」とは、「広い意味での電気回路」の1部を構成するもの、あるいは構成する可能性のあるものを意味している。
【０００７】
また、前記接点は、回動軌跡の異なる第一接点と第二接点を有してなることを特徴とする。ここでいう「回動軌跡の異なる」とは、第一接点と第二接点を含む同一平面において、翼片の回動軸を中心として周方向に位置を違えたり、第一接点と第二接点を翼片の回動軸の軸方向に位置をずらすことにより成し得る。
【０００８】
また、前記導電手段は前記翼片の回動を規制する規制手段となることを特徴とする。
【０００９】
また、前記接点に弾性を付与し、前記配線部材と弾性接触するのが好ましく、導電手段と確実に接触させることができると共に導通時間を長くすることができる。
【発明の効果】
【００１０】
以上説明したことから明らかなように、本発明における可変入賞口は、可動部材が開放状態にあるか、閉鎖状態にあるかを遊技者が一目で確認することができる。即ち、可動部材の開閉動作と連動して可動部材を発光させるようにしたので、可動部材の開放状態への変化を見落とすことがなくなり、遊技に対する興趣を高めることができる。
【発明を実施するための最良の形態】
【００１１】
以下に本発明のパチンコ遊技機について図面を参照して説明する。パチンコ遊技機は、図１に示すように矩形状の外枠１の前面に遊技盤４を備えた中枠２がヒンジ機構３を介して水平方向へ片開き自在に蝶着され、その前面に遊技盤４が視認できる前枠５が正面左側を枢支して開閉自在に設けられている。前枠５の下部には遊技媒体としての遊技球が貯留される上受皿７が設けられ、その上受皿７の下部には上受皿７の余剰球が貯留される貯留皿と灰皿を備えた下受皿９が設けられている。また、下受皿９の右側方には遊技球の打力を調整する発射ハンドル１０が設けられている。
【００１２】
遊技盤４は、所定の厚みを有する方形状に形成され、ガイドレール６により略円形の遊技領域４ａが形成されている。そして、その遊技領域４ａの略中央に液晶等の可変表示装置１１が設けられ、その下方に可変表示装置１１の画像を変動させる始動入賞口として可変入賞装置１２が設けられ、さらにその下方に扉部材を開閉して多量の入賞を可能とする大入賞口１３が設けられている。また、可変表示装置１１の側方には検知スイッチ１４ａを備えた通過入賞口１４が設けられている。通過入賞口１４は、例えば遊技球の通過を検知スイッチ１４ａが検知すると抽選が行われ、その結果が普通図柄表示器に表示され、「７」等の当たり条件で可変入賞装置１２が駆動するように設定される。遊技領域４ａの最下端には入賞球とならなかった遊技球がアウト球として流出するアウト口１５が設けられている。
【００１３】
可変入賞装置１２は、遊技盤４に取り付けるための取付板１６の前面に、該取付板１６と略直交する支軸１７により遊技球１個の直径と略同長の間隔を有して左右一対の翼片１８（可動部材）が回動自在に支持され、その前面に少なくとも翼片１８の一部を覆うように飾り部材１９が設けられている。そして、取付板１６の背面に設けられる枠体にソレノイド８（電気的駆動源）及び作動部材２０が設けられ、ソレノイド８の駆動力を作動部材２０を介して翼片１８に伝達して該翼片１８を回動させるようにしている。
【００１４】
取付板１６には、翼片１８間に入賞した遊技球が通過する入賞口２１が開設されると共に、該入賞口２１の後方側に排出路２２が形成された通路枠２３が設けられる。その後方に、ソレノイド８が取着される駆動枠２４が設けられると共に作動部材２０が軸支されている。作動部材２０は軸ピン２５部分を屈曲点として略Ｌ字状に形成され、一方にソレノイド８のプランジャ２７に連係する連係ピン２８が設けられ、他方に翼片１８と連係する作用部２９がコ字状に形成されている。
【００１５】
翼片１８は透光性樹脂により後方に開放した中空状に形成され、下方中央部に支軸１７が挿通される軸孔３０が設けられると共に作動部材２０が連係する作用軸３１が後方に突出して設けられ、下端に翼片１８の閉鎖位置を規制する規制片３２が設けられている。そして、中空部に翼片１８を光らせる発光手段が設けられている。実施例において発光手段として高輝度のＬＥＤ３３が表面白色塗装した配線基板３４に光軸が直交するように実装され、配線基板３４の端部に第一及び第二端子（接点）となる弾性付与した金属片３５，３６が設けられている。
中空部の閉塞面（前側）には発光手段の装着部として配線基板３４を取付けるボス３７が設けられ、中空部内周面にローレット加工が施されると共にＬＥＤ３３の光軸方向に拡散シート（図示せず）が添設されている。また、翼片１８の開放側の側部に段部３８を形成すると共に第一及び第二端子３５，３６が臨む切溝３９を設け、この切溝３９から第一及び第二端子３５，３６を臨ませて段部３８に添設させている。このとき、図２及び図３に示すように第一及び第二端子３５，３６の回動軌跡が異なるように、第一及び第二端子３５，３６は支軸１７の軸線方向に位置をずらして設けている。
【００１６】
飾り部材１９は前板１９ａの後方に翼片Ｕ字状の周壁１９ｂが設けられ、翼片１８の回動を規制する規制手段が設けられている。規制手段として、周壁１９ｂの端部を翼片１８の段部３８が衝止する規制部４０としている。そして、規制部４０及び周壁１９ｂ内面に第一及び第二端子３５，３６に対向する導電手段としてプリント配線Ｈが施され、その配線Ｈの端部に接続子４１（コネクタ）が設けられている。つまり、配線Ｈは翼片１８の傾動時に第一及び第二端子３５，３６と接触してＬＥＤ３３と電気的に接続される電路を構成している。
【００１７】
上記構成の可変入賞装置１２は、図５に示すように飾り部材１９に翼片１８を軸支してソレノイド８及び作動部材２０を装着した取付板１６に取付け組立てられる。そして、この可変入賞装置１２を遊技盤４に取付け、遊技盤４又は内枠２に設けられる回路基板（図示せず）から引き出された配線をソレノイド１９及び接続子４１に接続することで電気的に接続され作動可能となる。なお、可変入賞装置１２は、翼片１８が起立状態である常態において、ＬＥＤ３３への電力供給電路が開成されており消灯状態となっている。
【００１８】
次に可変入賞装置１２の作用について説明する。操作ハンドル１０の操作によって遊技領域４ａに打出された遊技球が、タイミングよく通過チャッカー１４に入賞し検知スイッチ１４ａが検知すると抽選が行われる。そして、その抽選結果が当たりとなると普通図柄表示器に「７」等の当たり図柄が表示され、ソレノイド８が励磁してスプリングの付勢に抗してプランジャ２７が後方に移動する。このとき、上方で連係ピン２８がプランジャ２７に係着し、下方両端部において軸ピン２５によって回動自在に支持される作動部材２０は、軸ピン２５を中心に機台後方に回動する。つまり。作動部材２０はその上端部が機台後方側へ回動し、前方部分が上方へ回動することによって、作用部２９と作用軸３１との連係により翼片１８が図４（ロ）に示すように支軸１７を中心として拡開する。このとき、翼片１８の拡開を規制部４０により規制されると共に第一及び第二端子３５，３６が規制部４０のプリント配線Ｈに接触することにより導通し電路が閉成され、ＬＥＤ３３が点灯し翼片１８のローレット加工部分及び拡散シートにより翼片１８全体が明るく照明される。このため、遊技者は可変入賞装置１２の翼片１８が開放されたことを確実に認識することができ、遊技者の興趣を向上させることができる。このように、翼片１８が電路を開閉するスイッチ機構となり、翼片１８が傾動して確実に開放したときにのみＬＥＤ３３が発光するので、遊技者は納得して遊技をすることができる。つまり、電気制御によりＬＥＤ１８を点灯させると、遊技者はソレノイド８の動作が早すぎて十分に翼片１８が拡開しきらずに閉鎖している疑念を感じながら遊技をすることはなくなり、遊技を楽しむことに集中することができる。
【００１９】
また、第一及び第二端子３５，３６を弾性付与した金属片として、切溝３９から臨ませた一端を自由端とすることで、導電手段（実施例では規制部４０に設けられた配線Ｈ）との接触を確実なものとすると共に接触時間を少しでも長くすることができる。つまり、ソレノイド８の励磁（駆動）により翼片１８が回動すると、第一及び第二端子３５,３６の自由端側が規制部４０の配線Ｈに接触し、翼片１８は規制部４０に衝止するまで傾動し、ソレノイド８の消磁により翼片１８が規制部４０から離間しても第一及び第二端子３５,３６は弾性復帰しながら完全復帰して規制部４０から完全に離間するまで配線Ｈとの接触状態を維持するため、ソレノイド８の励磁が一瞬であっても遊技者に翼片１８の開状態を十分に報知することができる。
【００２０】
なお、導電手段として、飾り部材１９にプリント配線を施すようにしたが、翼片１８の回転軌道上に別途導電部材を設けるようにしてもよく、翼片１８の傾動時に第一及び第二端子３５，３６が導電部材と接触することにより導通して電路がオンして、翼片１８のＬＥＤ３３を発光させることができる。また、第一及び第二端子３５，３６を規制片３２に設け、翼片１８の開放時にこの規制片３２と接触する位置に導電手段を設けるようにしてもよい。このようにすることで、目立たない位置で導通させることができる。
【００２１】
なお、コネクタ４１を介してＬＥＤ３３に給電するようにしたが、可変愁傷装置１２自体（例えば飾り部材１９）に小型電池等の給電手段を備えるようにしてもよい。また、実施例において翼片をソレノイド（電気的駆動源）により開閉するようにした可変入賞装置を示したが、翼片間を遊技球が通過することにより作動部材が作動して翼片を開閉するようにしてもよい。さらに、配線基板３４にＬＥＤ３３を点滅させる等の発光状態を制御する制御回路を設けるようにしてもよい。
【図面の簡単な説明】
【００２２】
【図１】パチンコ遊技機の正面図である。
【図２】可変入賞装置の斜視図である。
【図３】可変入賞装置の分解斜視図である。
【図４】（イ）は可変入賞装置の閉状態を示す正面断面図、（ロ）は可変入賞装置の開状態を示す正面断面図である。
【図５】可変入賞装置の要部断面図である。
【符号の説明】
【００２３】
８      ソレノイド（電気的駆動源）
１２    可変入賞装置
１６    取付板
１７    支軸
１８    翼片（可動部材）
３３    ＬＥＤ（発光手段）
３５    第一接点（接点）
３６    第二接点（接点）
３０    作用片（変動手段）
４０    規制部（規制手段）
Ｈ      配線（導電手段）
【図１】
2009153722.tif 000003
【図２】
2009153722.tif 000004
【図３】
2009153722.tif 000005
【図４】
2009153722.tif 000006
【図５】
2009153722.tif 000007